(57)【要約】【課題】ストロボ発光が選択されているときに電圧降下を防止するためにストロボ発光前に充電が禁止されてもストロボ発光が行われるようにする。【解決手段】昇圧回路４１には、トリガコンデンデンサ５１が接続されるとともに、このトリガコンデンサ５１に放電用抵抗４５ａと遅延用コンデンサ４５ｂとが並列に接続されている。レリーズボタン７の押圧に応答しシャッタ開閉動作が開始されると、禁止用トランジスタ４９で昇圧回路４１による充電動作が停止される。昇圧回路４１が停止すると、トリガコンデンサ５１は抵抗５８、放電用抵抗４５ａを介して放電を開始するが、同時に放電用抵抗４５ａを介して放電を介しする遅延用コンデンサ４５ｂにより、トリガコンデンサ５１の充電電圧がシンクロスイッチ２７がオンとなるまでの間、ストロボ発光をいさせるのに必要な電圧に保たれる。【選択図】        図３
2004302276.tif 000002
【特許請求の範囲】
【請求項１】
ストロボ放電管でメインコンデンサを放電させるために、シャッタ羽根の開閉動作中に入力されるシンクロ信号に応答してトリガコンデンサを放電させてトリガ電圧を発生させ、このトリガ電圧をストロボ放電管に印加するストロボ装置を備えたカメラにおいて、
外部からの操作でオン位置とオフ位置との間で切り替えられるストロボ操作部材と、レリーズ操作によるシャッタ羽根の開閉動作の開始に応答して充電禁止信号を出力する禁止信号出力手段とを備えるとともに、
前記ストロボ装置は、前記ストロボ操作部材がオン位置のときに作動して前記メインコンデンサ及びトリガコンデンサを充電し、オフ位置のときに不作動となり前記メインコンデンサ及びトリガコンデンサの充電を停止する昇圧回路と、前記充電禁止信号の入力によって前記昇圧回路を強制的に不作動とする禁止手段と、前記昇圧回路が禁止手段で不作動とされた際に、少なくともシャッタ羽根の開閉動作中にシンクロ信号が入力されるまでは前記トリガコンデンサの充電電圧をストロボ発光可能なトリガ電圧が得られる発光可能電圧以上に維持してから、発光可能電圧よりも小さくするように前記トリガコンデンサを放電する放電遅延手段とを備えていることを特徴とするカメラ。
【請求項２】
前記放電遅延手段は、トリガコンデンサに対して並列に接続された遅延用コンデンサと放電用抵抗とから構成されることを特徴とする請求項１記載のカメラ。
【請求項３】
前記禁止信号出力手段は、シャッタ羽根の開閉動作後に行われるフイルム給送が完了した時点で充電禁止信号の出力を停止することを特徴とする請求項１または２記載のカメラ。
【発明の詳細な説明】
【０００１】
【発明の属する技術分野】
本発明は、ストロボ装置を備えたカメラに関するものである。
【０００２】
【従来の技術】
現在の多くのカメラには撮影に同期してストロボ発光を行うストロボ装置が搭載されている。ストロボ撮影を行う時には、昇圧回路からの出力でメインコンデンサを規定充電電圧まで予め充電しておく必要があるため、通常はストロボ撮影に先立って充電スイッチをオンとして昇圧回路を作動させている。
【０００３】
ところで、撮影者の意図によらず、ストロボ撮影が行われてしまうと不便である。このため、メインコンデンサが充電されていても、ストロボ発光の有無を選択できるようにしたストロボ装置が知られている（例えば、特許文献１参照）。特許文献１に記載されたストロボ回路では、メインコンデンサとともに昇圧回路で充電されるトリガコンデンサの放電回路上に発光選択スイッチを設け、この発光選択スイッチをオフすることによってトリガコンデンサの放電を阻止し、ストロボ発光を開始させるトリガ電圧の発生を阻止することによって、ストロボ発光を禁止している。
【０００４】
また、充電スイッチと発光選択スイッチを３接点の共通なスイッチとすることで、１個のスイッチを用いて充電動作とストロボ発光の有無を選択できるものも知られている（例えば、特許文献２参照）。さらに、発光選択スイッチと抵抗とからなる直列回路をトリガコンデンサに並列にしておき、発光選択スイッチをオンとしてトリガコンデンサの電荷を抵抗で放電させることにより、ストロボ発光が行なわれないようにしたものも知られている（例えば、特許文献３参照）。
【０００５】
しかし、上記のように発光選択スイッチを設けると、部品点数の増加により製造コストの上昇を招くといった問題があった。また、上記のように３接点のスイッチを用いれば、発光選択機能のための部品点数の増加，製造コストの上昇を低く抑えることができるが、３接点のスイッチを用いるためにストロボ装置の回路が複雑になったり、そのための部品を新たに追加しなければならない等といった問題があった。
【０００６】
他方、ストロボ装置として、トリガコンデンサと並列に放電用抵抗を接続したものがある。このストロボ装置では、昇圧回路を停止すると、トリガコンデンサの電荷が放電用抵抗によって放電されるため、ストロボ発光を禁止することができる。逆に昇圧回路の作動時中では、放電用抵抗による放電分を補うようにトリガコンデンサの充電が継続されてストロボ発光に必要な電圧のトリガ電圧が得られるため、ストロボ発光が可能となる。したがって、この構成の場合には、放電用抵抗の追加だけで、充電スイッチのオン・オフによりストロボ発光の有無の選択でき製造コストの上昇がほとんどないといった利点がある。
【０００７】
【特許文献１】
特開平８−３０４８８８号公報
【特許文献２】
特開平１１−６４９４０号公報
【特許文献３】
特開２００１−２５５５７３号公報
【０００８】
【発明が解決しようとする課題】
ところで、昇圧回路には、ストロボ発光直後には比較的に大きな電流が流れる。手動によりフイルム巻上げを行なう簡易カメラでは問題はないが、自動巻上げを行なうカメラでストロボ撮影完了後にフイルム給送用の給送モータを駆動すると、昇圧回路と給送モータとが同時に作動した状態となって、電源電池の出力電圧の著しい低下が生じることがある。このように出力電圧の著しい低下が生じると、カメラに内蔵されたマイクロコンピュータがリセットされてしまう。
【０００９】
上記のような不具合を防止するためには、撮影に先だって昇圧回路の充電動作を禁止しておき、撮影完了後に行われるフイルム給送のためのモータ駆動が停止してから、充電動作を再開させることが好ましい。しかしながら、上記のような放電用抵抗を設けた場合には、充電動作が禁止された時点でトリガコンデンサの放電が開始されてしまい、実際にシャッタ羽根の開閉が行われてストロボ発光するタイミングでは発光不能になるという問題が発生する。
【００１０】
本発明は、上記事情を考慮してなされたもので、部品点数の増加を少なくしながら、撮影に先だって充電動作を停止してもストロボ発光を確実に行うことができるカメラを提供することを目的とする。
【００１１】
【課題を解決するための手段】
上記目的を達成するために、請求項１記載の発明では、外部からの操作でオン位置とオフ位置との間で切り替えられるストロボ操作部材と、レリーズ操作によるシャッタ羽根の開閉動作の開始に応答して充電禁止信号を出力する禁止信号出力手段とを備えるとともに、
ストロボ装置は、前記ストロボ操作部材がオン位置のときに作動してメインコンデンサ及びトリガコンデンサを充電し、オフ位置のときに不作動となり前記メインコンデンサ及びトリガコンデンサの充電を停止する昇圧回路と、前記充電禁止信号の入力によって前記昇圧回路を強制的に不作動とする禁止手段と、前記昇圧回路が禁止手段で不作動とされた際に、少なくともシャッタ羽根の開閉動作中にシンクロ信号が入力されるまでは前記トリガコンデンサの充電電圧をストロボ発光可能なトリガ電圧が得られる発光可能電圧以上に維持してから、発光可能電圧よりも小さくするように前記トリガコンデンサを放電する放電遅延手段とを備えたものである。
【００１２】
請求項２記載の発明では、放電遅延手段を、昇圧回路に対してトリガコンデンサと並列に接続された遅延用コンデンサと放電用抵抗とから構成したものである。
【００１３】
請求項３記載の発明では、禁止信号出力手段を、シャッタ羽根の開閉動作後に行われるフイルム給送が完了した時点で充電禁止信号の出力を停止するようにしたものである。
【００１４】
【発明の実施の形態】
本発明を実施したカメラの外観を図１に示す。カメラの前面には、撮影レンズ２，ファインダの対物側窓３，ストロボ発光部４，ストロボ操作部材５，レンズバリア操作部材６が設けられている。また、上面には、レリーズボタン７，ストロボ発光が可能となったことを表示する充電完了表示窓８が設けられている。さらに、カメラの一方の側面には、裏蓋操作部材９と、使用途中の写真フイルムを強制的にパトローネ内に巻き戻す際に押圧操作される巻戻し操作部材１０とが設けられている。
【００１５】
レリーズボタン７は、浅く押圧した半押し位置と、さらに押し込んだ全押し位置とに押圧操作可能にされており、このレリーズボタン７を全押し位置とすることにより、シャッタ羽根の開閉動作が行われて撮影レンズ２を通した撮影が行われる。ストロボ操作部材５は、図示するオフ位置と、このオフ位置から上方にスライド移動されたオン位置との間でスライド操作可能にされている。このストロボ操作部材５をオン位置とすると、ストロボ発光のための充電動作が行われるとともにストロボ発光が許容され、オフ位置とすると充電動作が停止されるとともにストロボ発光が禁止される。
【００１６】
ストロボ発光部４は、ストロボ操作部材５がオン位置のときに、撮影に同期してストロボ光を被写体に向けて照射する。また、このストロボ発光部４の内部には、赤目防止ＬＥＤ１１（図２参照）が配されている。この赤目防止ＬＥＤ１１は、赤目現象の発生を防止するために、レリーズボタン７が半押しされるとシャッタ羽根の開閉が行われる直前まで点灯する。この赤目防止ＬＥＤ１１からの光はストロボ発光部４より被写体に向けて照射される。
【００１７】
充電完了表示窓８の奧には充電完了表示用のＬＥＤ１２（図３参照）が配されている。このＬＥＤ１２は、後述するように昇圧回路の動作している間で充電が完了しているときに点灯する。
【００１８】
このカメラには、１３５タイプの写真フイルムが装填される。写真フイルムの装填は、裏蓋操作部材９を操作することにより、装填蓋としての裏蓋１３を開放することによって行うことができる。また、このカメラでは、装填直後に全ての写真フイルムをカメラ側の巻取りスプールにいったん巻き取り、撮影完了毎に１コマ分ずつパトローネ内への巻き戻しを行うプレワインド方式となっている。巻戻し操作部材１０を押圧操作すると、全写真フイルムがパトローネに巻き戻される。
【００１９】
上記カメラの要部構成を図２に示す。マイクロコンピュータ１５は、写真フイルムのフイルム給送を制御する。また、このマイクロコンピュータ１５は、充電禁止信号を出力する禁止信号出力手段となっている。マイクロコンピュータ１５を含むこのカメラの各電気回路は、電池１６を共通の電源として駆動される。この電池１６としては、例えば２本の単４形アルカリ乾電池が用いられている。赤目防止ＬＥＤ１１は、マイクロコンピュータ１５によって直接に駆動され、前述のようにレリーズボタン７が半押し位置とされた時点で点灯される。
【００２０】
給送モータ２１は、マイクロコンピュータ１５の制御の下でドライバ２２によって駆動され、その回転は給送機構２３に伝達される。この給送モータ２１としては、正逆両方向に回転可能なものが用いられている。給送機構２３は、カメラ側の巻取りスプール，装填されたパトローネのスプールに係合するフォーク，給送モータ２１の回転方向に応じて、その回転をフォークまたは巻取りスプールに伝達するギア列等から構成されている。
【００２１】
給送モータ２１が正転されると、その回転が給送機構２３を介して巻取りスプールに伝達される。これにより、写真フイルムのプレワインドが行われる。また、給送モータ２１が逆転されると、その回転が給送機構２３を介してフォークに伝達されることにより、パトローネのスプールが回転されてパトローネ内に写真フイルムが巻き戻される。給送機構２３には、写真フイルムの側縁に沿って形成されたパーフォレーションと係合し、写真フイルムの給送に従動回転するスプロケットが設けられている。このスプロケットは、写真フイルムが１コマ分給送されると１回転する。
【００２２】
シャッタ装置２４は、レリーズボタン７の全押し位置への押圧操作に応答してシャッタ羽根の開閉動作を行う。この例では、シャッタ装置２４としては、蹴飛ばし式と呼ばれる簡単な構成なものが用いられており、シャッタ駆動レバーをレリーズボタン７の押圧に応答してチャージ位置からリリース位置に向けて移動させることにより、シャッタ羽根を回動させて開閉動作を行う。前述のスプロケットが１回転することにより、シャッタ駆動レバーがリリース位置からチャージ位置に移動されてシャッタ装置２４がシャッタチャージされる。
【００２３】
ストロボ装置２５は、ストロボ光を放出するストロボ放電管，ストロボ発光に先立って充電されるメインコンデンサ，メインコンデンサを充電するための昇圧回路、充電完了を知らせる発光ダイオード１２，ストロボスイッチ２６，シンクロスイッチ２７等から構成されている。
【００２４】
ストロボスイッチ２６は、ストロボ操作部材５に連動してオン・オフされる。ストロボ操作部材１８をオン位置とすると、ストロボスイッチ２６がオンとなり、メインコンデンサの充電動作が行われるとともに、撮影に同期してストロボ発光が行われる。また、ストロボ操作部材５をオフ位置とすると、ストロボスイッチ２６がオフとなって充電動作が停止されるとともに、ストロボ発光が禁止される。
【００２５】
シンクロスイッチ２７は、シャッタ装置２４のシャッタ羽根がシャッタ開口を全開にした瞬間にオンとなる。ストロボスイッチ２６がオンとされ、メインコンデンサの充電が完了している状態で、シンクロスイッチ２７がオンとなると、その瞬間にストロボ発光が行われる。
【００２６】
ストロボ装置２５は、マイクロコンピュータ１５からの充電禁止信号が入力されることにより、充電動作を停止する。マイクロコンピュータ１５は、シャッタ羽根の開閉動作を開始した時点から、撮影に引き続き行われる写真フイルムのコマ送りが完了するまで充電禁止信号を出力する。これにより、フイルム給送中にメインコンデンサの充電動作が行われることを禁止し、電池１６から過大な電流が流れることによるその電池１６の出力電圧の低下を防止して、マイクロコンピュータ１５がリセットされないようにしている。なお、充電禁止信号は、コマ送り中の他に、プレワインド中，巻き戻し中などの給送モータ２１の動作時にもストロボ装置２５に入力される。
【００２７】
マイクロコンピュータ１５には、ＳＨＣスイッチ３１，Ｓ１スイッチ３２，ＳＢスイッチ３３，ＳＰＦスイッチ３４がそれぞれ接続されている。ＳＨＣスイッチ３１は、シャッタ装置２４のシャッタチャージ状態を検出する。このＳＨＣスイッチ３１は、シャッタ装置２４がシャッタチャージされているときにオフ、それ以外ではオンとなる。したがって、ＳＨＣスイッチ３１は、前述のシャッタ駆動レバーがチャージ位置にあるときにオフとなり、そのチャージ位置からリーリス位置に向けて移動を開始した瞬間にオンとなる。このＳＨＣスイッチ３１のオン・オフは、ＳＨＣ信号としてマイクロコンピュータ１５に与えられる。
【００２８】
Ｓ１スイッチ３２は、レリーズボタン７が半押し位置とされたときにオンとなって全押し位置でもオンを維持し、それ以外ではオフとなる。このＳ１スイッチ３２のオン・オフは、Ｓ１信号としてマイクロコンピュータ１５に与えられる。マイクロコンピュータ１５は、このＳ１信号のオン・オフによって、レリーズボタン７の押圧操作、及び押圧操作の解除の検知を行う。なお、全押し位置まで押圧されたか否か、また全押し位置からの押圧操作の解除は検知していない。
【００２９】
ＳＢスイッチ３３は、裏蓋１３に連動してオン・オフし、裏蓋１３が閉じているときにオフ、開いているときにオンとなる。また、このＳＢスイッチ３３は、巻戻し操作部材１０にも連動しており、裏蓋１３が閉じているときに巻戻し操作部材１０を押圧すると、ＳＢスイッチ３３がオンとなる。このＳＢスイッチ３３のオン・オフは、ＳＢ信号としてマイクロコンピュータ１５に与えられる。ＳＢ信号は、裏蓋１３の開閉の検知，プレワインドやリワインドの制御等に用いられる。
【００３０】
ＳＰＦスイッチ３４は、給送機構２３のスプロケットの回転に連動しており、写真フイルムの１コマ給送に連動してオン・オフする。このＳＰＦスイッチ３４のオン・オフは、ＳＰＦ信号としてマイクロコンピュータ１５に与えられ、写真フイルムの給送の制御に用いられる。
【００３１】
マイクロコンピュータ１５は、プログラムを実行するＣＰＵ，Ｉ／Ｏ回路（図示省略），ＲＯＭ１５ａ，ＲＡＭ１５ｂ等から構成されている。ＲＯＭ１５ａには，各種制御のためのプログラムが書き込まれており、このプログラムにしたがってマイクロコンピュータ１５は、上記の各スイッチ３１〜３４の信号に基づき赤目防止ＬＥＤ１１の駆動、給送モータ２２の駆動、ストロボ装置２５への充電禁止信号の出力の制御を行う。
【００３２】
ＲＡＭ１５ｂは、各種制御に必要なパラメータ等が書き込まれる。Ｉ／Ｏ回路には、ドライバ２２，ストロボ装置２５，各スイッチ３１〜３４が接続されており、このＩ／Ｏ回路を介して各スイッチ３１〜３４からの入力信号がＣＰＵによって監視され、またドライバ２２，ストロボ装置２５への信号送出が行われる。
【００３３】
バックアップコンデンサ３６は、電池１６の出力電圧の瞬間的な低下した際にもマイクロコンピュータ１５供給電圧を維持することによって、マイクロコンピュータ１５がリセットされることを防止する。また、ダイオード３７は、バックアップコンデンサ３６の電力がストロボ装置２５等で消費さることを防止する。なお、バックアップコンデンサ３６は、瞬間的な電圧低下等に対応して設けられているものであり、給送モータ２１とストロボ装置２５の充電動作が同時に行われることによる電圧低下には不十分なものである。
【００３４】
図３にストロボ装置２５の回路図を示す。ストロボ装置２５は、大別して昇圧回路４１，メインコンデンサ４２，ストロボ放電管４３，トリガ回路４４，放電遅延回路４５，ダイオード４８とから構成されている。また、昇圧回路４１には、禁止手段としての禁止用トランジスタ４９が設けられている。
【００３５】
昇圧回路４１は、電池１６の出力電圧を高電圧に変換し、その高電圧でメインコンデンサ４２，トリガコンデンサ４４を充電する。この昇圧回路４１は、ストロボスイッチ２６，発振トランジスタ５２，発振トランス５３，整流用ダイオード５４等からなり、周知のブロッキング発振回路を構成している。ストロボスイッチ２６がオンとなると昇圧回路４１が作動し、昇圧された出力電圧が一対の出力端５６ａ，５６ｂから出力される。
【００３６】
禁止用トランジスタ４９は、そのコレクタ端子，エミッタ端子が発振トランジスタ５２のベース端子，エミッタ端子に接続されており、オンすると発振トランジスタ５２のベース端子とエミッタ端子を短絡して発振トランジスタ５２を作動不能とする。これにより、ストロボスイッチ２６がオンとなっている場合でも、昇圧回路４１を強制的に不作動として充電動作を禁止する。この禁止用トランジスタ４９は、マイクロコンピュータ１５からの充電禁止信号が入力されることによってオンとなる。
【００３７】
なお、昇圧回路４１の回路構成は、図示されるものに限らず、どのようなものであってもよく、充電禁止手段は、その昇圧回路４１の構成に応じたものを用いればよい。
【００３８】
昇圧回路４１の出力端５６ａ，５６ｂの間には、メインコンデンサ４２が接続されている。このメインコンデンサ４２は、昇圧回路４１によって充電される。トリガ回路４４は、トリガコンデンサ５１，シンクロスイッチ２７，トリガコイル５７から構成されている。トリガコンデンサ５１は、直列に接続された抵抗５８を介して昇圧回路４１の出力端子５６ａ，５６ｂの間に接続されており、メインコンデンサ４２と同様に、昇圧回路４１によって充電される。メインコンデンサ４２の充電が完了しているときには、トリガコンデンサ５１の充電電圧は、メインコンデンサ４２と同じになる。
【００３９】
シンクロスイッチ２７は、前述のようにシャッタ羽根の開閉動作に同期してオン，オフされる。シンクロスイッチ２７がオンとなると、充電されたトリガコンデンサ５１が放電し、トリガコイル５７の一次側に放電電流を流が流れ、二次側にトリガ電圧が発生する。このトリガ電圧は、トリガ電極４３ａを介してストロボ放電管４３に印加される。なお、この例ではシンクロスイッチ２７のオンとされることがシンクロ信号の入力となる。
【００４０】
ストロボ放電管４３は、ストロボ発光部４内に配され、メインコンデンサ４２の端子間に接続されている。このストロボ放電管４３は、所定の電圧レベル以上のトリガ電圧が印加されると電極間の絶縁が破れ、電極間でメインコンデンサ４２の電荷を放電することによってストロボ光を放出する。
【００４１】
トリガ電圧は、トリガコンデンサ５１の放電開始時の充電電圧によって変化するため、ストロボ発光を行うための所定の電圧レベル以上のトリガ電圧を得るためには、トリガコンデンサはその電圧レベルに応じた発光可能電圧以上の充電電圧に充電されている必要がある。
【００４２】
また、昇圧回路４１の出力端５６ａ，５６ｂ間には、放電遅延回路４５が接続されている。この放電遅延回路４５は、昇圧回路４１が禁止用トランジスタ４９で不作動になった際に、その時点から少なくともシャッタ羽根の開閉動作中のシンクロ信号が入力されるまでの間は、トリガコンデンサ５１の充電電圧を発光可能電圧以上に維持し、この後に発光可能電圧よりも小さくするようにトリガコンデンサ５１の放電を制御する。
【００４３】
この放電遅延回路４５は、放電用抵抗４５ａ，遅延用コンデンサ４５ｂから構成されている。放電用抵抗４５ａ，遅延用コンデンサ４５ｂは、それぞれ昇圧回路４１の出力端５６ａ，５６ｂの間に接続されている。したがって、放電用抵抗４５ａ，遅延用コンデンサ４５ｂは、トリガコンデンサ５１に並列に接続されている。遅延用コンデンサ４５ｂは、メインコンデンサ４２同様に昇圧回路４１によって充電される。
【００４４】
ダイオード４８は、充電されたメインコンデンサ４２からの電流がトリガコデンサ５１及び遅延用コンデンサに流れ込まないようにするとともに、メインコンデンサの電荷が放電用抵抗４５ａで放電されないようにしている。ダイオード４８のカソード側にメインコンデンサ４２及びストロボ放電管４３が接続されており、アノード側にトリガコンデンサ５１，放電用抵抗４５ａ，遅延用コンデンサ４５ｂが接続されている。
【００４５】
放電用抵抗４５ａは、遅延用コンデンサ４５ｂを所定の放電速度で放電させて遅延用コンデンサ４５ｂの充電電圧を低下させる機能と、トリガコンデンサ５１を放電させてストロボ発光を禁止させる機能を有する。これらの放電用抵抗４５ａと、遅延用コンデンサ４５ｂとにより昇圧回路４１が不作動になった時点からシャッタ羽根の開閉動作中のシンクロ信号が入力されるまで間、トリガコンデンサ５１の充電電圧を発光可能電圧以上に維持し、その後に発光可能電圧よりも小さくする。
【００４６】
シャッタ羽根の開閉動作の開始、すなわちＳＨＣ信号のオンに応答して昇圧回路４１が不作動とした時点からトリガコンデンサ５１の充電電圧が発光可能電圧以上に維持される時間（以下、発光可能時間という）は、その昇圧回路４１が不作動とした時点からシンクロ信号が入力されるまでのの時間、すなわちストロボ発光を行うタイミングまでの時間（以下、発光遅延時間という）よりも大きく設定しておく必要がある。
【００４７】
しかし、発光可能時間を大きくしすぎると、ストロボ操作部材５をオフ位置としてから実際にストロボ発光が禁止される前に撮影が行われてストロボ発光してしまうことがあるので、その点を考慮して発光可能時間を決める必要がある。発光可能時間は、放電用抵抗４５ａの抵抗値，遅延用コンデンサ４５ｂの静電容量を変えることによって調整可能である。この例では、発光可能時間が約０．５秒であり、発光遅延時間は０．１秒以下となっている。
【００４８】
コンデンサ５９は、昇圧回路４１の作動初期に電池１６の電圧の変動を小さくするために設けられている。また，ＬＥＤ１２は、発振トランス５３を構成する１つのコイルに接続されており、そのコイルの端子間の電圧が昇圧回路４１の作動中にメインコンデンサ４２の充電電圧に応じて変化することを利用して、メインコンデンサ４２が規定充電電圧まで充電されたときに点灯するようにされている。
【００４９】
次に上記構成の作用について説明する。写真フイルムの装填は、裏蓋操作部材９を操作して裏蓋１３を開放し、パトローネをパトローネ室に装填するとともに、そのパトローネから予め僅かに引き出されている写真フイルムの先端をフイルム室のスプールに掛かるまでさらに引き出してから裏蓋１３を閉じる。ＳＢ信号がオフとなることによって、裏蓋１３が閉じられたことをマイクロコンピュータ１５が検知すると、給送モータ２１が正転されてプレワインド処理が行われる。このプレワインド処理により、全ての写真フイルムがカメラ側のスプールに巻き上げられる。そして、この後にファーストフレームセットが行われ、２コマ分の長さの写真フイルムがパトローネに巻き戻されて撮影準備が完了する。なお、このファーストフレームセットの際に１コマ目の撮影のためシャッタチャージが行われる。
【００５０】
撮影を行う場合には、ストロボ発光を行うか否かをストロボ操作部材５で選択してから、レリ−ズボタン７を押圧操作する。例えば、ストロボ撮影を行う場合には、ストロボ操作部材５をオン位置にセットする。
【００５１】
ストロボ操作部材５がオン位置となると、ストロボスイッチ２６がオンとなって、昇圧回路４１が作動を開始する。これにより、昇圧回路４１の出力端５６ａ，５６ｂの間に高電圧が出力され、メインコンデンサ４２，トリガコンデンサ５１，遅延用コンデンサ４５ｂがそれぞれ充電される。
【００５２】
メインコンデンサ４２が規定充電電圧に達して充電が完了すると、ＬＥＤ１２が点灯する。また、メインコンデンサ４２の充電が完了した状態では、トリガコンデンサ５１，遅延用コンデンサ４６についてもメインコンデンサ４２と同じほぼ充電電圧になっている。
【００５３】
ストロボスイッチ２６がオンとなっているときには、昇圧回路４１からは高電圧が出力され、トリガコンデンサ５１及び遅延用コンデンサ４５ｂの充電が継続されるため、トリガコンデンサ５１，４５ｂが抵抗５８，放電用抵抗４５ａを介した放電により充電電圧が低下することもなく、また遅延用コンデンサ４５ｂが放電用抵抗４５を介した放電により充電電圧が低下することもない。
【００５４】
撮影者は、ＬＥＤ１２の点灯を充電完了表示窓８を通して確認したならば、ファインダでフレーミングしてからレリーズボタン７を押圧操作する。
【００５５】
この押圧操作によりレリーズボタン７が半押し位置とされた時点で、Ｓ１スイッチ３２がオン、すなわちＳ１信号がオンとなり、これがマイクロコンピュータ１５によって検出されると、図４に示す処理が行われる。なお、図４では処理を簡略化して示してある。
【００５６】
Ｓ１信号がオンとなると、マイクロコンピュータ１５により、ＳＨＣ信号のオン・オフが調べられる。例えば、レリーズボタン７を半押し位置に保持している場合には、この時点でシャッタ装置２４は作動していないので、ＳＨＣ信号はオフとなっている。ＳＨＣ信号がオフの場合には、赤目防止ＬＥＤ１１が点灯されてから、Ｓ１信号及びＳＨＣ信号の監視が行われる。そして、Ｓ１信号がオンとなっている間にＳＨＣ信号がオフからオンに変化するのを待つ。
【００５７】
レリーズボタン７を半押し位置から全押し位置に押し込むと、これに応答してシャッタ装置２４のシャッタ駆動レバーがチャージ位置からリリース位置に向けて移動を開始する。
【００５８】
上記のようにシャッタ駆動レバーがチャージ位置からリリース位置に向けて移動を開始した瞬間に、ＳＨＣスイッチがオフとなってＳＨＣ信号がオフとなる。ＳＨＣ信号がオフとなると、その瞬間にマイクロコンピュータ１５により赤目防止ＬＥＤ１１が消灯されてから、このマイクロコンピュータ１５から充電禁止信号がストロボ装置２５に送出される。
【００５９】
なお、Ｓ１信号のオンに応答してＳＨＣ信号を調べた際に、すでにＳＨＣ信号がオンとなっている場合には、マイクロコンピュータ１５は、赤目防止ＬＥＤ１１の点灯・消灯を行わずに、直ちに充電禁止信号をストロボ装置２５に送出する。これは、レリーズボタン７を押圧操作した際に、全押し位置まで素早く操作された場合を想定した処理である。このように、いずれの場合にもＳＨＣ信号がオンとなることに応答して充電禁止信号がストロボ装置２５には入力される。
【００６０】
上記のように充電禁止信号が入力されることにより、ストロボ装置２５では、禁止用トランジスタ４９がオンとなり、発振トランジスタ５２が作動不能とされて昇圧回路４１が停止される。このように昇圧回路４１の充電動作が停止すると、トリガコンデンサ５１が抵抗５８，放電用抵抗４５ａを介して放電を開始し、その充電電圧が低下する。
【００６１】
しかし、直列に接続された抵抗５８とトリガコンデンサ５１の両端に接続された遅延用コンデンサ４５ｂが充電されているので、トリガコンデンサ５１は放電を開始しても、その充電電圧が直ちに発光可能電圧より小さくなることはない。しかし、遅延用コンデンサ４５ｂが放電用抵抗４５ａを介して放電し、その充電電圧が低下するから、トリガコンデンサ５１の充電電圧も徐々に低下し、発光可能時間が経過すればトリガコンデンサ５１の充電電圧は発光可能電圧よりも小さくなる。
【００６２】
一方、シャッタ駆動レバーがリリース位置に移動することにより、シャッタ装置２４では、シャッタ羽根が開閉動作する。そして、このシャッタ羽根の開閉動作中に、シャッタ開口が全開されるとシンクロスイッチ２７がオンとなる。シンクロスイッチ２７がオンとなると、トリガコンデンサ５１が放電し、トリガコイル５７の二次側にトリガ電圧が発生し、これがトリガ電極４３ａを介してストロボ放電管４３に印加される。
【００６３】
シャッタ羽根の開閉動作の開始からシンクロスイッチ２７がオンとなるまでの時間、すなわち発光遅延時間よりも発光可能時間が大きくされているから、トリガコンデンサ５１の充電電圧が発光可能電圧以上となっているときに、シンクロスイッチ２７がオンとなってトリガコンデンサ５１が放電する。したがって、ストロボ放電管４３には、ストロボ発光させるの必要なトリガ電圧が印加されるためストロボ発光が行われる。
【００６４】
ストロボ発光を行わない場合には、ストロボ操作部材５をオフ位置とする。この後に、レリーズボタン７を押圧操作して撮影を行う。ストロボ操作部材５をオフ位置とすると、ストロボスイッチ２６がオフとなり、昇圧回路４１の充電動作が停止する。例えば、ストロボ発光可能な状態に各コンデンサ４２，５１，４６が充電されている状態で、ストロボスイッチ２６がオフとされて昇圧回路４１の充電動作が停止すると、禁止用トランジスタ４９をオンとしたときと同様に、トリガコンデンサ５１は抵抗５８，放電用抵抗４５ａを介して放電し、遅延用コンデンサ４６は放電用抵抗４６で放電し、その充電電圧が徐々に低下する。
【００６５】
ストロボ操作部材５を操作してからレリーズボタン７を押圧する場合では、撮影者がストロボ操作部材５を操作してからレリーズボタン７の押圧操作するまでに要する時間は、遅延用コンデンサ４６によってトリガコンデンサ５１を発光可能電圧以上に維持する発光可能時間に極めて長い。したがって、レリーズボタン７の押圧に応答してシャッタ羽根が開閉動作を開始し、シンクロスイッチ２７がオンとなったときには、すでにトリガコデンサ５１は発光可能電圧よりも充電電圧が低下しているのでストロボ発光は行われない。なお、ストロボ操作部材５をオフ位置として撮影した場合のマイクロコンピュータ１５やシャッタ装置２４の動作は、オン位置の場合と同じである。
【００６６】
ストロボ発光の有無にかかわらずシャッタ羽根の開閉が完了した後に、給送モ−タ２１が逆転されて写真フイルムの１コマ給送が行われるとともに、このフイルム給送に連動して回転するスプロケットによりシャッタ装置２４がシャッタチャージされる。そして、ＳＰＦ信号の変化に基づいて、１コマ分の給送が完了すると給送モータ２１が停止される。この給送モータ２１の駆動中では、昇圧回路４１は充電動作を行わないから、電池１６の出力電圧が著しく低下してマイクロコンピュータ１５がリセットされてしまうことはない。
【００６７】
給送モータ２１の停止後に、マイクロコンピュータ１５が充電禁止信号の送出を停止する。これにより、昇圧回路４１が充電動作可能な状態となり、ストロボスイッチ２６がオンとなっていれば、昇圧回路４１が作動を開始して、充電が行われる。
【００６８】
以下、同様にして、ストロボ操作部材５の操作でストロボ発光の有無を選択しながら、レリーズボタン７を押圧操作することで順次撮影を行うことができる。
【００６９】
【発明の効果】
以上詳細に説明したように、本発明によれば、昇圧回路をストロボ操作部材がオン位置のときに作動させメインコンデンサ及びトリガコデンサを充電し、オフ位置のときに充電を停止するようにするとともに、充電禁止信号の入力によって昇圧回路を強制的に不作動とする禁止手段と、昇圧回路が禁止手段で不作動になった時点から少なくともシャッタ羽根の開閉動作中にシンクロ信号が入力されるまではトリガコンデンサの充電電圧をストロボ発光可能なトリガ電圧が得られる発光可能電圧以上に維持して、その後に発光可能電圧よりも小さくするようにトリガコンデンサを放電する放電遅延手段と設けたから、ストロボ操作部材のオン位置とオフ位置との切り替えによってストロボ発光の選択が可能であるとともに、ストロボ操作部材のオン位置のときに禁止手段で昇圧回路を停止してもストロボ発光を行うことができる。
【図面の簡単な説明】
【図１】本発明を実施したカメラの外観を示す斜視図である。
【図２】カメラの要部構成を示すブロック図である。
【図３】ストロボ装置の回路図である。
【図４】レリーズが押圧操作されたときの処理手順を示すフローチャートである。
【符号の説明】
５  ストロボ操作部材
７  レリーズボタン
１５  マイクロコンピュータ
２４  シャッタ装置
２５  ストロボ装置
２６  ストロボスイッチ
２７  シンクロスイッチ
４１  昇圧回路
４５  放電遅延回路
４５ａ  放電用抵抗
４５ｂ  遅延用コンデンサ
５１  トリガコンデンサ
【図１】
2004302276.tif 000003
【図２】
2004302276.tif 000004
【図３】
2004302276.tif 000005
【図４】
2004302276.tif 000006